【手続補正書】
【提出日】平成25年3月15日(2013.3.15)
【手続補正１】
【補正対象書類名】明細書
【補正対象項目名】０００７
【補正方法】変更
【補正の内容】
【０００７】
上記目的達成のため、請求項１記載の発明は、撮像手段と、表示手段と、前記撮像手段により順次撮像された画像に基づいて、当該撮像された画像よりも広角の画像を生成する生成手段と、前記生成手段により広角の画像を生成するために必要な撮像範囲と、当該撮像範囲における未撮像部分の領域とともに、前記撮像手段の撮像方向を示す情報を当該未撮像部分の領域に重畳させるように表示手段に表示させる第１の表示制御手段と、前記撮像手段により撮像された画像と前記撮像方向を示す情報の位置関係に基づいて、前記撮像方向を示す情報の表示態様を変更して前記表示手段に表示させる第２の表示制御手段と、を備えることを特徴とする撮像装置である。
【手続補正２】
【補正対象書類名】明細書
【補正対象項目名】０００８
【補正方法】変更
【補正の内容】
【０００８】
また、好ましい態様として、例えば請求項２記載のように、請求項１に記載の撮像装置において、前記第１の表示制御手段は、前記撮像方向を示す情報として目印を前記表示手段に表示させ、前記撮像手段により撮像された画像と前記表示手段に表示された撮像方向を示す情報の位置関係を判断する判断手段を更に備え、前記第２の表示制御手段は、前記判断手段により前記画像と前記撮像方向を示す情報が近い位置関係にあると判断されると、前記撮像方向を示す目印を前記未撮像部分の領域における新たな撮像方向を示す位置に移動させることで、前記撮像方向を示す情報の表示態様を変更して前記前記表示手段に表示させる、ことを特徴とする。
【手続補正３】
【補正対象書類名】明細書
【補正対象項目名】０００９
【補正方法】変更
【補正の内容】
【０００９】
また、好ましい態様として、例えば請求項３記載のように、請求項１又は２に記載の撮像装置において、前記第１の表示制御手段は、複数の前記撮像方向の情報を各々を示す目印を前記表示手段に表示させ、前記第２の表示制御手段は、前記撮像手段により前記目印が示した撮像方向が撮像されると、そのときの撮像方向に対応する目印の表示態様を変更して前記前記表示手段に表示させる、ことを特徴とする。
【手続補正４】
【補正対象書類名】明細書
【補正対象項目名】００１０
【補正方法】変更
【補正の内容】
【００１０】
また、好ましい態様として、例えば請求項４記載のように、請求項２に記載の撮像装置において、前記第１の表示制御手段は、更に、前記撮像手段により順次撮像される画像を、プレビュー画像として前記撮像方向に対応する前記表示手段の位置に表示させ、前記判断手段は、前記プレビュー画像と前記撮像方向を示す情報の位置関係を判断し、前記第２の表示制御手段は、前記判断手段により前記プレビュー画像と前記撮像方向を示す情報が近い位置関係にあると判断されると、前記撮像方向を示す目印を前記未撮像部分の領域における新たな撮像方向を示す位置に順次移動させることで、前記撮像方向を示す情報の表示態様を変更して前記前記表示手段に表示させる、ことを特徴とする。
【手続補正５】
【補正対象書類名】明細書
【補正対象項目名】００１１
【補正方法】変更
【補正の内容】
【００１１】
また、好ましい態様として、例えば請求項５記載のように、請求項４に記載の撮像装置において、前記プレビュー画像の中心位置を算出する演算手段を更に備え、前記判断手段は、前記撮像方向を示す情報である目印の位置と、前記演算手段により算出されたプレビュー画像の中心位置とが略一致するか否かで、前記プレビュー画像と前記目印が近い位置関係にあると判断か否かを判断する、ことを特徴とする。
【手続補正６】
【補正対象書類名】明細書
【補正対象項目名】００１２
【補正方法】変更
【補正の内容】
【００１２】
また、好ましい態様として、例えば請求項６記載のように、請求項５に記載の撮像装置において、前記第１の表示制御手段は、前記演算手段により算出された前記プレビュー画像の中心位置に、当該中心位置を示す目印を表示させる、ことを特徴とする。
【手続補正７】
【補正対象書類名】明細書
【補正対象項目名】００１３
【補正方法】変更
【補正の内容】
【００１３】
また、好ましい態様として、例えば請求項７記載のように、請求項１乃至６のいずれかに記載の撮像装置において、前記撮像手段は、第１の画角で撮像し、前記生成手段は、前記撮像手段により順次撮像された画像に基づいて、前記第１の画角よりも広い第２の画角の合成画像を前記広角の画像として生成する、ことを特徴とする。
【手続補正８】
【補正対象書類名】明細書
【補正対象項目名】００１５
【補正方法】変更
【補正の内容】
【００１５】
また、上記目的達成のため、請求項９記載の発明は、コンピュータを、撮像手段により順次撮像された画像に基づいて、当該撮像された画像よりも広角の画像を生成する生成手段、前記生成手段により広角の画像を生成するために必要な撮像範囲と、当該撮像範囲における未撮像部分の領域とともに、前記撮像手段の撮像方向を示す情報を当該未撮像部分の領域に重畳させるように表示手段に表示させる第１の表示制御手段、前記撮像手段により撮像された画像と前記撮像方向を示す情報の位置関係に基づいて、当該撮像方向を示す情報の表示態様を変更して前記表示手段に表示させる第２の表示制御手段、として機能させることを特徴とするプログラムである。
【手続補正９】
【補正対象書類名】明細書
【補正対象項目名】００４７
【補正方法】変更
【補正の内容】
【００４７】
Ｂ．第２実施形態
次に、本発明の第２実施形態について説明する。
本第２実施形態では、基準画像が撮像された時点で、キャンバスのブランク部分を複数の領域に分割し、各領域の所定の位置に、予め複数の目印（例えば、白色）を画像表示部１５に表示するとともに、デジタルカメラ１が向いている方向のプレビュー画像の中心に中心位置を示す目印（例えば、黄色）を表示し、ユーザが白色の目印にプレビュー画像の中心を示す黄色の目印を近づけるようにデジタルカメラ１を順次動かすことにより、次々と広画角な画像を合成するために必要とされる有効画像（高解像度）を撮像して保存することを特徴としている。なお、デジタルカメラ１の構成は、図１と同様であるので説明を省略する。
【手続補正１０】
【補正対象書類名】特許請求の範囲
【補正対象項目名】全文
【補正方法】変更
【補正の内容】
【特許請求の範囲】
【請求項１】
撮像手段と、
表示手段と、
前記撮像手段により順次撮像された画像に基づいて、当該撮像された画像よりも広角の画像を生成する生成手段と、
前記生成手段により広角の画像を生成するために必要な撮像範囲と、当該撮像範囲における未撮像部分の領域とともに、前記撮像手段の撮像方向を示す情報を当該未撮像部分の領域に重畳させるように表示手段に表示させる第１の表示制御手段と、
前記撮像手段により撮像された画像と前記撮像方向を示す情報の位置関係に基づいて、前記撮像方向を示す情報の表示態様を変更して前記表示手段に表示させる第２の表示制御手段と、
を備えることを特徴とする撮像装置。
【請求項２】
前記第１の表示制御手段は、前記撮像方向を示す情報として目印を前記表示手段に表示させ、
前記撮像手段により撮像された画像と前記表示手段に表示された撮像方向を示す情報の位置関係を判断する判断手段を更に備え、
前記第２の表示制御手段は、前記判断手段により前記画像と前記撮像方向を示す情報が近い位置関係にあると判断されると、前記撮像方向を示す目印を前記未撮像部分の領域における新たな撮像方向を示す位置に移動させることで、前記撮像方向を示す情報の表示態様を変更して前記前記表示手段に表示させる、
ことを特徴とする請求項１に記載の撮像装置。
【請求項３】
前記第１の表示制御手段は、複数の前記撮像方向の情報を各々を示す目印を前記表示手段に表示させ、
前記第２の表示制御手段は、前記撮像手段により前記目印が示した撮像方向が撮像されると、そのときの撮像方向に対応する目印の表示態様を変更して前記前記表示手段に表示させる、
ことを特徴とする請求項１又は２に記載の撮像装置。
【請求項４】
前記第１の表示制御手段は、更に、前記撮像手段により順次撮像される画像を、プレビュー画像として前記撮像方向に対応する前記表示手段の位置に表示させ、
前記判断手段は、前記プレビュー画像と前記撮像方向を示す情報の位置関係を判断し、
前記第２の表示制御手段は、前記判断手段により前記プレビュー画像と前記撮像方向を示す情報が近い位置関係にあると判断されると、前記撮像方向を示す目印を前記未撮像部分の領域における新たな撮像方向を示す位置に順次移動させることで、前記撮像方向を示す情報の表示態様を変更して前記前記表示手段に表示させる、
ことを特徴とする請求項２に記載の撮像装置。
【請求項５】
前記プレビュー画像の中心位置を算出する演算手段を更に備え、
前記判断手段は、前記撮像方向を示す情報である目印の位置と、前記演算手段により算出されたプレビュー画像の中心位置とが略一致するか否かで、前記プレビュー画像と前記目印が近い位置関係にあると判断か否かを判断する、
ことを特徴とする請求項４に記載の撮像装置。
【請求項６】
前記第１の表示制御手段は、前記演算手段により算出された前記プレビュー画像の中心位置に、当該中心位置を示す目印を表示させる、
ことを特徴とする請求項５に記載の撮像装置。
【請求項７】
前記撮像手段は、第１の画角で撮像し、
前記生成手段は、前記撮像手段により順次撮像された画像に基づいて、前記第１の画角よりも広い第２の画角の合成画像を前記広角の画像として生成する、
ことを特徴とする請求項１乃至６のいずれかに記載の撮像装置。
【請求項８】
コンピュータを、
撮像手段により順次撮像された画像に基づいて、当該撮像された画像よりも広角の画像を生成する生成手段、
前記生成手段により広角の画像を生成するために必要な撮像範囲と、当該撮像範囲における未撮像部分の領域とともに、前記撮像手段の撮像方向を示す情報を当該未撮像部分の領域に重畳させるように表示手段に表示させる第１の表示制御手段、
前記撮像手段により撮像された画像と前記撮像方向を示す情報の位置関係に基づいて、当該撮像方向を示す情報の表示態様を変更して前記表示手段に表示させる第２の表示制御手段、
として機能させることを特徴とするプログラム。